(57)【要約】【課題】薄型表示装置のパネル面前方側へ転倒防止のみに特化することで、設置が容易で見た目にも目立たない、薄型表示装置の前面転倒防止装置を実現すること。【解決手段】薄型表示装置の主体部の裏面または薄型表示装置のスタンド部の裏面に固定された第１の固定具と、主として上方向への動きを規制されるように、薄型表示装置が乗る支持台に固定された第２の固定具と、第１の固定具および第２の固定具にそれぞれ連結された連結手段とを、備えた構成をとる。【選択図】図１
2007142549.tif 000002
【特許請求の範囲】
【請求項１】
支持台上に置かれた薄型表示装置が振動や衝撃によりパネル面前方側に転倒することを防止する薄型表示装置の前面転倒防止装置において、
前記薄型表示装置の主体部の裏面または前記薄型表示装置のスタンド部の裏面に固定された第１の固定具と、主として上方向への動きを規制されるように前記支持台に固定された第２の固定具と、前記第１の固定具および前記第２の固定具にそれぞれ連結された連結手段とを、備えたことを特徴とする薄型表示装置の前面転倒防止装置。
【請求項２】
請求項１に記載の薄型表示装置の前面転倒防止装置において、
前記連結手段は可撓性のある材料からなり、前記連結手段はその長さを調整されて、前記第１の固定具と前記第２の固定具との間でゆるみのないように配設されることを特徴とする薄型表示装置の前面転倒防止装置。
【請求項３】
請求項１に記載の薄型表示装置の前面転倒防止装置において、
前記第１の固定具および前記第２の固定具には、ケーブルを束ねる束縛手段がそれぞれ設けられたことを特徴とする薄型表示装置の前面転倒防止装置。
【請求項４】
請求項３に記載の薄型表示装置の前面転倒防止装置において、
前記第１の固定具の前記束縛手段と、前記第２の固定具の前記束縛手段とに、それぞれ束縛された前記ケーブルを、前記連結手段としたことを特徴とする薄型表示装置の前面転倒防止装置。
【請求項５】
請求項１に記載の薄型表示装置の前面転倒防止装置において、
前記第１の固定具および前記第２の固定具には、ケーブルを束ねて保持する保持リング部がそれぞれ設けられたことを特徴とする薄型表示装置の前面転倒防止装置。
【請求項６】
請求項５に記載の薄型表示装置の前面転倒防止装置において、
前記第１の固定具の前記保持リング部に下方向への動きを規制されるように保持されると共に、前記第２の固定具の前記保持リング部に上方向への動きを規制されるように保持された前記ケーブルを、前記連結手段としたことを特徴とする薄型表示装置の前面転倒防止装置。
【発明の詳細な説明】
【技術分野】
【０００１】
本発明は、支持台上に置かれた薄型のテレビジョン装置や薄型の表示モニタ装置などの薄型表示装置が、振動や衝撃によりパネル面の前方側に転倒することを防止する薄型表示装置の前面転倒防止装置に関する。
【背景技術】
【０００２】
薄型テレビジョン受像機や薄型モニタ装置などの薄型表示装置は、その構造上、パネル面の前方側へ転倒しやすい。また、一般的に、薄型テレビジョン装置や薄型モニタといった薄型表示装置は、テレビ台などの支持台上に載置されることが多く、振動や衝撃によって薄型表示装置がパネル面前方側へ転倒すれば、パネルが破損するだけでなく、薄型表示装置が人に衝突することや、あるいは、破損したガラスの破片により、人が怪我をする危険性がある。特に、近年のパネルの大型化に伴って、薄型表示装置はその重量が増していることもあり、薄型表示装置のパネル面前方側への転倒は、金銭的な損出を伴うだけではなく、危険性が高く安全性の観点から大きな問題となる。
【０００３】
テレビジョン受像機の転倒防止に関しては、従来においても様々な技術が開発されている。たとえば、テレビジョン受像機を壁に紐で固定したり（特許文献１参照）、テレビジョン受像機とテレビ台とをスライドするストッパーで固定したり（特許文献２参照）、バンド等でテレビジョン受像機とテレビ台とを固定する（特許文献３参照）などの技術がある。
【特許文献１】特開平９−３７１９１号公報
【特許文献２】特開２００４−８０７００号公報
【特許文献３】実用新案登録第３０９８２９８号公報
【発明の開示】
【発明が解決しようとする課題】
【０００４】
しかしながら、特許文献１〜３に開示されたような手法では、設置に手間がかかりがちである。また、壁への固定、テレビジョン受像機前後のストッパー、バンドによる固定は、見た目にも目立ち、外観が損なわれるなどの問題がある。さらに、これらは転倒防止目的のみの構成であるため、揺れや振動のない通常使用時には、全く利用価値のないものであった。
【０００５】
したがって、本発明が解決すべき技術的課題は、上記の従来技術のもつ問題点を解消することにあり、本発明の目的とするところは、薄型表示装置のパネル面前方側へ転倒防止のみに特化することで、設置が容易で見た目にも目立たない、薄型表示装置の前面転倒防止装置を実現することにある。また、本発明の目的とするところは、転倒防止目的以外に通常の使用時にも利用される部材を、転倒防止のための構造の一部として利用可能とすることで、コスト低減が可能な薄型表示装置の前面転倒防止装置を実現することにある。
【課題を解決するための手段】
【０００６】
上記した目的を達成するため、本願による薄型表示装置の前面転倒防止装置の１つの発明では、薄型表示装置の主体部の裏面または薄型表示装置のスタンド部の裏面に固定された第１の固定具と、主として上方向への動きを規制されるように、薄型表示装置が乗る支持台に固定された第２の固定具と、第１の固定具および第２の固定具にそれぞれ連結された連結手段とを、備えた構成をとる。  
また、第１の固定具および第２の固定具に、ケーブルを束ねる束縛手段またはケーブルを束ねて保持する保持リング部をそれぞれ設けて、ケーブルを前記連結手段として用いる、構成をとる。
【発明の効果】
【０００７】
本発明によれば、薄型表示装置の主体部の裏面または薄型表示装置のスタンド部の裏面に固定された第１の固定具と、主として上方向への動きを規制されるように、薄型表示装置が乗る支持台に固定された第２の固定具と、第１の固定具および第２の固定具にそれぞれ連結され、たとえば可撓性のある材料から構成されて第１の固定具と第２の固定具との間でゆるみのないように配設される連結手段とを、備えることで、薄型表示装置は後方に転倒することはあっても、前方に転倒することは確実に防止される。また、簡易な構成なので、設置も容易なものとなる。また、薄型表示装置の裏面側（背面側）に転倒防止構造を配することで、前面側からは転倒防止構造を視認することができないので、外観性を損なうこともない。さらに、ケーブルを連結手段として用いることで、転倒防止構造のコストダウンを図れる上に、裏面側（背面側）でケーブルを束ねて、すっきりと整理することができる。
【発明を実施するための最良の形態】
【０００８】
以下、本発明の実施の形態を、図面を用いて説明する。なお、以下の各実施形態では、薄型表示装置として薄型テレビジョン受像機を、支持台としてテレビ台を用いた例を説明するが、薄型表示装置は薄型テレビジョン受像機に限られるものではなく、支持台もテレビ台に限られるものではない。
【０００９】
図１〜図３は、本発明の第１実施形態による薄型表示装置の前面転倒防止装置に係り、図１は、薄型テレビジョン受像機とテレビ台との関係を裏面側（背面側）から見た簡略化した斜視図であり、図２は、薄型テレビジョン受像機とテレビ台との関係を側面から見た説明図であり、図３は、テレビ台に固定される第２の固定具を示す斜視図である。
【００１０】
図１〜図３において、１は薄型テレビジョン受像機（以下、テレビ受像機と記す）、２はテレビ受像機１の主体部（以下、テレビ主体部と記す）、３は、テレビ主体部２を支持するスタンド部、４は、テレビ受像機１をその上部に載置したテレビ台、５は、テレビ台４の上板、６は、テレビ主体部２の裏面（背面）に固定された第１の固定具、７は、テレビ台４の上板５の裏面側（背面側）に固定された第２の固定具、８は、第１の固定具６と第２の固定具７とにそれぞれ取り付けられ、第１の固定具６と第２の固定具７とを連結した連結具（連結手段）である。
【００１１】
第１の固定具６は、テレビ主体部２の裏面に、ネジ止めや両面接着テープや接着などの適宜の固定手段で固定されている。第２の固定具７は、図３に示すように断面Ｌ字形を呈し、テレビ台４の上板５の裏面側において、上板５の下面と上板５の裏側面とにそれぞれ固定されている。本第１実施形態では、第２の固定具７の縦板部と横板部にはそれぞれ穴９が穿設されており、第２の固定具７は、ネジ止めによって、上板５の下面と上板５の裏側面にそれぞれ固定されている。なお、第２の固定具７の上板５への固定は、ネジ止め以外にも、画鋲などを用いた固定や、両面接着テープ、接着剤を用いた固定とすることも可能である。上記のように、断面Ｌ字形を呈する第２の固定具７を、上板５の下面と上板５の裏側面に固定することにより、第２の固定具７は、図３の矢印で示す上方向への動きを確実に規制されるようになっている。
【００１２】
本第１実施形態では、連結具８は、可撓性と十分な機械的強度をもつ帯状部材で構成されており、該連結具８は、その長さを調整されて、第１の固定具６と第２の固定具７との間でゆるみのないように、第１の固定具６と第２の固定具７にそれぞれ取り付けられている。本第１実施形態では、連結具８は、第１の固定具６と第２の固定具７にネジ止めにより固定されているが、連結具８と第１、第２の固定具６、７との連結には、適宜の手段を用いることが可能で、たとえば、ボルトの先端面での押圧・挟持や、接着剤などによる連結としてもよい。また、連結具８が紐状部材やワイヤーである場合には、紐状部材やワイヤーを第１、第２の固定具６、７に結び付けることによる連結とすることもできる。
【００１３】
このような構成をとることにより、テレビ台４上に設置されたテレビ受像機１が振動や衝撃によって、パネル面前方側へ転倒しようとするとき、図２で矢印Ａで示すベクトルがテレビ受像機１に作用することになるが、第２の固定具７が上方向への動きを規制されているので、テレビ受像機１のパネル面前方側へ転倒は確実に防止される。つまり、振動や衝撃によって、テレビ受像機１は後方に転倒することはあっても、前方に転倒することは確実に防止される。また、第１、第２の固定具６、７および連結具８は前面側からは目視ができないので、外観性にも優れたものとなる。さらに、簡易な構成なので、設置も容易なものとなる。
【００１４】
なお、上述した例では、第１の固定具６をテレビ主体部２の裏面に固定しているが、第１の固定具６をスタンド部３の脚部分の裏面に固定しても、同様の効果が得られる（これは、後述する各実施形態においても同様である）。
【００１５】
図４は、本発明の第２実施形態による薄型表示装置の前面転倒防止装置の要部構成を示す説明図である。
【００１６】
本第２実施形態では、テレビ受像機１のテレビ主体部２の裏面に固定される第１の固定具６、および、テレビ台４の上板５の裏面側に固定される第２の固定具７には、それぞれケーブルを束ねて保持・固定するための束縛手段（結束手段）１０の一部が取り付け・固定されている。束縛手段１０は、ここではケーブルをまとめて束縛可能な手段（たとえば、面ファスナー（通称マジックテープ（商標）））をもつバンド体で構成されており、テレビ受像機１に接続される電源ケーブル、映像ケーブル、音声ケーブルなどのケーブルを、束ねて固定できるようになっている。
【００１７】
本第２実施形態では、図示せぬ複数本のケーブルを、第１の固定具６の束縛手段１０および第２の固定具７の束縛手段１０で、それぞれ束ねて保持・固定することで、複数本のケーブルにより、第１の固定具６と第２の固定具７とを連結するようになっており、図示せぬ複数本のケーブルを連結具として利用するようになっている。この際、ケーブルは、第１の固定具６と第２の固定具７との間の長さが調整されて、第１の固定具６と第２の固定具７との間でたるみのないように配設されることは、言うまでもない。
【００１８】
なお、束縛手段１０は、バンド体以外にも、針金状の止め金、折り曲げ可能な金属薄板、紐などにも代替可能である。
【００１９】
かような構成をとる本第２実施形態では、前記した第１実施形態の効果に加えて、ケーブルを連結手段として用いることで、転倒防止構造のコストダウンを図れる上に、裏面側（背面側）でケーブルを束ねて、すっきりと整理することができるという効果もある。
【００２０】
図５〜図７は、本発明の第３実施形態による薄型表示装置の前面転倒防止装置に係り、図５は、前面転倒防止装置の要部構成を示す説明図、図６は、第１の固定具とケーブルとの関係を示す側面から見た説明図、図７は、テレビ受像機とテレビ台との関係などを裏面側（背面側）から見た簡略化した斜視図である。
【００２１】
本第３実施形態では、テレビ受像機１のテレビ主体部２の裏面に固定される第１の固定具６、および、テレビ台４の上板５の裏面側に固定される第２の固定具７には、それぞれケーブルを束ねて保持するための保持リング部１１の一部が取り付け・固定されている。保持リング部１１は扁平なリング状を呈し、保持リング１１の扁平穴の短手方向の長さは、ケーブル１２の直径よりも長く、ケーブル１２に嵌められる固定ストッパー１３の外径よりも短く設定されている。固定ストッパー１３は、たとえば、２つ割り可能な構造をもち、２つ割りを一体に嵌め合わせることで、ケーブル１２に強固に固定できるようになっている。
【００２２】
本第３実施形態では、テレビ受像機１に接続される電源ケーブル、映像ケーブル、音声ケーブルなどのケーブル１２を、第１の固定具６の保持リング部１１および第２の固定具７の保持リング部１１に通して、第１の固定具６と第２の固定具７との間でケーブル１１がたるみのないようした状態で、ケーブル１２に固定ストッパー１３を嵌め合わせて、これにより、ケーブル１２が、第１の固定具６と第２の固定具７との間でほぼ不動状態となるようにしている。つまり、ケーブル１２は、第１の固定具６の保持リング部１３に対しては、下方向への動きを規制されるように、第１の固定具６の保持リング部１３の上部近傍のケーブル部分に固定ストッパー１３が嵌め合わされ、第２の固定具７の保持リング部１１に対しては、上方向への動きを規制されるように、第２の固定具７の保持リング部１１の下部近傍のケーブル部分に固定ストッパー１３が嵌め合わされる。このように構成することで、複数本のケーブル１２によって、第１の固定具６と第２の固定具７とを連結し、先の第２実施形態と同様な、テレビ受像機１（薄型表示装置）の前面転倒防止装置を実現している。
【００２３】
図７は、テレビ受像機１に接続されるケーブルとしての具体例を示しており、ここでは、テレビ台４の棚に載置されたＤＶＤプレーヤーやビデオデッキといった外部機器１４からのケーブル１２を、第１の固定具６の保持リング部１１および第２の固定具７の保持リング部１１に通して、ケーブル１２に、図７では図示を割愛してある固定ストッパー１３を嵌め合わせた構成としてある。
【００２４】
かような構成をとる本第３実施形態でも、前記した第２実施形態と同等の効果を奏する。
【図面の簡単な説明】
【００２５】
【図１】本発明の第１実施形態による薄型表示装置の前面転倒防止装置などを示す斜視図である。
【図２】本発明の第１実施形態による薄型表示装置の前面転倒防止装置を側面から見た説明図である。
【図３】本発明の第１実施形態による薄型表示装置の前面転倒防止装置における、テレビ台に固定される第２の固定具を示す斜視図である。
【図４】本発明の第２実施形態による薄型表示装置の前面転倒防止装置の簡略化した要部斜視図である。
【図５】本発明の第３実施形態による薄型表示装置の前面転倒防止装置の簡略化した要部斜視図である。
【図６】本発明の第３実施形態による薄型表示装置の前面転倒防止装置における、テレビ主体部に固定される第１の固定具の保持リング部とケーブルと固定ストッパーを示す説明図である。
【図７】本発明の第３実施形態による薄型表示装置の前面転倒防止装置における、薄型表示装置に接続されるケーブルの具体例を示す説明図である。
【符号の説明】
【００２６】
１  テレビ受像機（薄型テレビジョン受像機）
２  テレビ主体部（テレビ受像機の主体部）
３  テレビ受像機のスタンド部
４  テレビ台
５  テレビ台の上板
６  第１の固定具
７  第２の固定具
８  連結具（連結手段）
９  第２の固定具の穴
１０  束縛手段（結束手段）
１１  保持リング部
１２  ケーブル
１３  固定ストッパー
【図１】
2007142549.tif 000003
【図２】
2007142549.tif 000004
【図３】
2007142549.tif 000005
【図４】
2007142549.tif 000006
【図５】
2007142549.tif 000007
【図６】
2007142549.tif 000008
【図７】
2007142549.tif 000009